(57)【要約】【課題】ボックス結合保存機能において、なるべく元文書のプリント設定を保持させ、必要な場合は、ユーザが自由にプリント出力を設定することができるように、設定に自由度を持たせることが可能なフレキシブルなボックス結合保存処理環境を構築すること。【解決手段】画像メモリ１０７内のボックスに記憶された複数ジョブをまとめて新たな処理モードを設定し画像メモリ１０７に記憶しなおすボックス結合保存機能において、上記複数ジョブをまとめて新たな処理モードを設定するときに、制御部１０８が、結合する元ジョブの設定を継承するかクリアして新たに設定しなおすかをユーザに選択させるように制御する構成を特徴とする。【選択図】　　　図１
2004021390.tif 000002
【特許請求の範囲】
【請求項１】
画像データを入力する画像入力手段と、
前記画像入力手段により入力された画像データを順次記憶する画像記憶手段と、
前記複数の画像データに対し設定されている処理モードを画像とリンクしジョブとして記憶するジョブ記憶手段と、
前記画像記憶手段に記憶された画像データを読み出し、前記ジョブ記憶手段に記憶された処理モードに応じて順次プリント出力する画像出力手段と、
前記ジョブを複数選択する複数ジョブ選択手段と、
前記複数ジョブ選択手段により選択された複数ジョブをまとめて処理する処理モードを新たに設定する処理モード設定手段と、
前記選択された複数ジョブを前記処理モード設定手段により設定された処理モードに応じて前記複数ジョブを１ジョブとして前記ジョブ記憶手段に記憶しなおす結合ジョブ記憶手段と、
前記処理モード設定手段により新たな処理モードを設定するときに、結合する元ジョブの設定を継承するかクリアして新たに設定し直すかどうかを選択する元ジョブ設定継承選択手段と、
を有することを特徴とする画像処理装置。
【請求項２】
前記結合ジョブ記憶手段は、前記画像出力手段により出力すると同時に記憶することが可能であることを特徴とする請求項１記載の画像処理装置。
【請求項３】
前記結合ジョブ記憶手段が前記複数ジョブ選択手段により選択された複数ジョブと前記処理モード設定手段により設定された処理モードを新たな１ジョブとして前記ジョブ記憶手段に記憶した後、前記複数ジョブを削除するジョブ削除手段を有することを特徴とする請求項１記載の画像処理装置。
【請求項４】
前記処理モード設定手段は、前記複数ジョブ選択手段により選択された複数ジョブに設定されている処理モードをチェックし、不整合のある処理モードはクリアし、不整合のない処理モードはクリアしないことを特徴とする請求項１記載の画像処理装置。
【請求項５】
前記結合ジョブ記憶手段が、結合して記憶する新規ジョブの記憶場所を選択する記憶場所選択手段を有することを特徴とする請求項１記載の画像処理装置。
【請求項６】
前記結合ジョブ記憶手段は、前記複数ジョブ選択手段により選択された順番で結合保存することを特徴とする請求項１記載の画像処理装置。
【請求項７】
前記結合ジョブ記憶手段は、ジョブ名を設定するジョブ名設定手段を有することを特徴とする請求項１記載の画像処理装置。
【請求項８】
前記ジョブ名設定手段によりジョブ名が設定されない場合は、結合保存した年月日時間をジョブ名として設定することを特徴とする請求項１記載の画像処理装置。
【請求項９】
画像データを入力する画像入力手段と、前記画像入力手段により入力された画像データを順次記憶する画像記憶手段と、前記複数の画像データに対し設定されている処理モードを画像とリンクしジョブとして記憶するジョブ記憶手段と、前記画像記憶手段に記憶された画像データを読み出し、前記ジョブ記憶手段に記憶された処理モードに応じて順次プリント出力する画像出力手段とを有する画像処理装置の制御方法において、
前記ジョブを複数選択する複数ジョブ選択工程と、
該選択された複数ジョブをまとめて処理する処理モードを新たに設定する処理モード設定工程と、
前記選択された複数ジョブを前記処理モード設定工程により設定された処理モードに応じて前記複数ジョブを１ジョブとして前記ジョブ記憶手段に記憶しなおす結合ジョブ記憶工程と、
前記処理モード設定工程で新たな処理モードを設定するときに、結合する元ジョブの設定を継承するかクリアして新たに設定し直すかどうかを選択する元ジョブ設定継承選択工程と、
を有することを特徴とする画像処理装置の制御方法。
【請求項１０】
請求項９に記載された画像処理装置の制御方法を実行するためのプログラム。
【請求項１１】
請求項９に記載された画像処理装置の制御方法を実行するためのプログラムをコンピュータが読み取り可能に記憶した記憶媒体。
【発明の詳細な説明】
【０００１】
【発明の属する技術分野】
本発明は、画像メモリを備えたデジタル複写機等の画像処理装置に関し、特に、画像データを入力する画像入力手段と、前記画像入力手段により入力された画像データを順次記憶する画像記憶手段と、前記複数の画像データに対し設定されている処理モードを画像とリンクしジョブとして記憶するジョブ記憶手段と、前記画像記憶手段に記憶された画像データを読み出し、前記ジョブ記憶手段に記憶された処理モードに応じて順次プリント出力する画像出力手段とを有する画像処理装置および画像処理装置の制御方法およびプログラムおよび記憶媒体に関するものである。
【０００２】
【従来の技術】
従来、スキャナから読み取った画像データや、ホストコンピュータからネットワークを介して送られてきたＰＤＬデータをビットマップに展開した画像データを複写機内のハードディスクなどのメモリに一旦記憶し、そのメモリから任意の原稿の画像データを繰り返し読み出してプリントアウトする機能を備えたデジタル複写機（画像処理装置）が知られている。
【０００３】
また、これらデジタル複写機には、ステイプル、パンチ穴開け、折り、製本とじ等のフィニッシング機能を搭載したフィニッシャを接続することができ、それらフィニッシングの設定や両面等の画像の割り付けなどを画像の保存と同時にジョブ属性としてメモリに保存しておき、画像の入力とは非同期にこれらジョブ情報に基づきプリント出力するボックス機能を有するものもある。
【０００４】
このボックス機能において、複数の文書を選択し、それら複数の文書を１文書としてまとめて結合し、再度ボックスに保存しなおすボックス結合保存という機能がある。このボックス結合保存機能は、よく同時にプリント出力する複数のボックス文書を結合して１文書にすることで、毎回同じ順序で複数文書を選択しプリント出力設定をする手間を省くことができる。
【０００５】
【発明が解決しようとする課題】
しかしながら、ボックス結合保存機能では、各文書に部数、フィニッシング等の異なるプリント設定がされている場合に用紙サイズ、画像向き等で不整合となる可能性があるため、設定情報は一度全てクリアされ、結合後の文書に対して再度フィニッシング等の設定を明示的に行わなければならない。しかも、この結合後の文書設定は全ページに対して一意に行われるため、両面設定や給紙段設定などは全ページに対して同一の設定しか適用できず、非常に使い辛いという問題点があった。
【０００６】
本発明は、上記の問題点を解決するためになされたもので、本発明の目的は、上述したボックス（メモリ）に記憶された複数ジョブをまとめて新たな処理モードを設定し前記メモリに記憶しなおすボックス結合保存機能において、上記複数ジョブをまとめて新たな処理モードを設定するときに、結合する元ジョブの設定を継承するかクリアして新たに設定し直すかをユーザに選択させるように制御することにより、ボックス結合保存機能において、なるべく元文書のプリント設定を保持させ、必要な場合は、ユーザが自由にプリント出力を設定することができるように、設定に自由度を持たせることが可能なフレキシブルなボックス結合保存処理環境を構築することができる画像処理装置および画像処理装置の制御方法およびプログラムおよび記憶媒体を提供することである。
【０００７】
【課題を解決するための手段】
本発明に係る第１の発明は、画像データを入力する画像入力手段（図１に示すリーダ部１０３，コンピュータインタフェース部１０６）と、前記画像入力手段により入力された画像データを順次記憶する画像記憶手段（図１に示す画像メモリ１０７）と、前記複数の画像データに対し設定されている処理モードを画像とリンクしジョブとして記憶するジョブ記憶手段（図１に示す画像メモリ１０７，図５に示すボックス領域５０３〜５０７）と、前記画像記憶手段に記憶された画像データを読み出し、前記ジョブ記憶手段に記憶された処理モードに応じて順次プリント出力する画像出力手段（図１に示すプリンタ部１０４）と、前記ジョブを複数選択する複数ジョブ選択手段（図９に示すボックス番号９０２）と、前記複数ジョブ選択手段により選択された複数ジョブをまとめて処理する処理モードを新たに設定する処理モード設定手段（図１に示す操作部１０２及び制御部１０８，図１１〜図１４に示す画面）と、前記選択された複数ジョブを前記処理モード設定手段により設定された処理モードに応じて前記複数ジョブを１ジョブとして前記ジョブ記憶手段に記憶しなおす結合ジョブ記憶手段（図１に示す制御部１０８）と、前記処理モード設定手段により新たな処理モードを設定するときに、結合する元ジョブの設定を継承する（図１３に示す元文書の設定を保持キー１４０５，図１４に示す元文書の設定を保持キー１５０１）かクリアして新たに設定し直す（図１３に示す左右開きキー１４０１，上下開きキー１４０２，連続キー１４０３，連続しないキー１４０４，図１４に示す手差し用紙指定キー１５０２，給紙段キー１５０３）かどうかを選択する元ジョブ設定継承選択手段（図１３に示す両面設定画面，図１４に示す用紙選択画面）とを有することを特徴とする。
【０００８】
本発明に係る第２の発明は、前記結合ジョブ記憶手段（図１に示す画像メモリ１０７，図５に示すボックス領域５０３〜５０７）は、前記画像出力手段により出力すると同時に記憶することが可能であることを特徴とする。
【０００９】
本発明に係る第３の発明は、前記結合ジョブ記憶手段が前記複数ジョブ選択手段により選択された複数ジョブと前記処理モード設定手段により設定された処理モードを新たな１ジョブとして前記ジョブ記憶手段に記憶した後、前記複数ジョブを削除するジョブ削除手段（図１に示す制御部１０８）を有することを特徴とする。
【００１０】
本発明に係る第４の発明は、前記処理モード設定手段（図１に示す操作部１０２及び制御部１０８，図１１〜図１４に示す画面）は、前記複数ジョブ選択手段により選択された複数ジョブに設定されている処理モードをチェックし、不整合のある処理モードはクリアし、不整合のない処理モードはクリアしないことを特徴とする。
【００１１】
本発明に係る第５の発明は、前記結合ジョブ記憶手段（図１に示す制御部１０８）が結合して記憶する新規ジョブの記憶場所を選択する記憶場所選択手段（不図示）を有することを特徴とする。
【００１２】
本発明に係る第６の発明は、前記結合ジョブ記憶手段は、前記複数ジョブ選択手段により選択された順番で結合保存することを特徴とする。
【００１３】
本発明に係る第７の発明は、前記結合ジョブ記憶手段は、ジョブ名を設定するジョブ名設定手段（図１１に示すファイル名設定キー１２０９を押下することによりＬＣＤ３１６に表示される不図示の画面）を有することを特徴とする。
【００１４】
本発明に係る第８の発明は、前記ジョブ名設定手段によりジョブ名が設定されない場合は、結合保存した年月日時間をジョブ名として設定することを特徴とする。
【００１５】
本発明に係る第９の発明は、画像データを入力する画像入力手段と、前記画像入力手段により入力された画像データを順次記憶する画像記憶手段と、前記複数の画像データに対し設定されている処理モードを画像とリンクしジョブとして記憶するジョブ記憶手段と、前記画像記憶手段に記憶された画像データを読み出し、前記ジョブ記憶手段に記憶された処理モードに応じて順次プリント出力する画像出力手段とを有する画像処理装置の制御方法において、前記ジョブを複数選択する複数ジョブ選択工程（図１５のステップＳ１６０１以前の不図示のステップ）と、該選択された複数ジョブをまとめて処理する処理モードを新たに設定する処理モード設定工程（図１５のステップＳ１６０５，図１６のステップＳ１７０１〜Ｓ１７１０）と、前記選択された複数ジョブを前記処理モード設定工程により設定された処理モードに応じて前記複数ジョブを１ジョブとして前記ジョブ記憶手段に記憶しなおす結合ジョブ記憶工程（図１５のステップＳ１６０５，図１６のステップＳ１７０１〜Ｓ１７１０）と、前記処理モード設定工程で新たな処理モードを設定するときに、結合する元ジョブの設定を継承するかクリアして新たに設定し直すかどうかを選択する元ジョブ設定継承選択工程（図１５のステップＳ１６０１以前の不図示のステップ）とを有することを特徴とする。
【００１６】
本発明に係る第１０の発明は、請求項９に記載された画像処理装置の制御方法を実行するためのプログラムであることを特徴とする。
【００１７】
本発明に係る第１１の発明は、請求項９に記載された画像処理装置の制御方法を実行するためのプログラムを記憶媒体にコンピュータが読み取り可能に記憶させたことを特徴とする。
【００１８】
【発明の実施の形態】
図１は、本発明の一実施形態を示す画像処理装置を適用可能なデジタル複写機の構成を示すブロック図である。
【００１９】
図において、本実施形態のデジタル複写機は、デジタル複写機本体１０１と画像入出力制御部１０５で構成される。
【００２０】
デジタル複写機本体１０１は、操作部１０２、リーダ部１０３、プリンタ部１０４から構成される。操作部１０２は、デジタル複写機本体１０１及び画像入出力制御部１０５を操作するために使用する。リーダ部１０３は、原稿の画像を読み取り、原稿画像に応じた画像データをプリンタ部１０４及び画像入出力制御部１０５へ出力する。プリンタ部１０４は、リーダ部１０３及び画像入出力制御部１０５からの画像データに応じた画像を記録紙上に記録する。
【００２１】
画像入出力制御部１０５は、リーダ部１０３に接続されており、コンピュータインタフェース部１０６、画像メモリ１０７、制御部１０８、バックアップＲＡＭ１１０から構成される。
【００２２】
コンピュータインタフェース部１０６は、パーソナルコンピュータ又はワークステーション（ＰＣ／ＷＳ）によって構成されるプリントサーバ（ＰＣ／ＷＳ）１０９と制御部１０８の間のインタフェースであり、ＰＣ／ＷＳ１０９から転送された画像を表すコードデータ（ＰＤＬ）をプリンタ部１０４で記録できる画像データに展開して制御部１０８に渡す。なお、コンピュータインタフェース部１０６とＰＣ／ＷＳ１０９は、イーサネット（登録商標）等のネットワークで接続されていてもよい。
【００２３】
制御部１０８は、ＣＰＵ，ＲＯＭ，ＲＡＭ等により構成され、ＣＰＵがＲＯＭ又は他の記憶媒体に格納されたプログラムを実行して、リーダ部１０３，コンピュータインタフェース部１０６，画像メモリ１０７等のそれぞれの間のデータの流れを制御するものであり、その詳細については後述する。
【００２４】
バックアップＲＡＭ１１０は、電源を落としても消去されないメモリであり、デジタル複写機本体１０１及び画像入出力制御部１０５においてバックアップしておかなければならないデータを保存しておくものである。
【００２５】
また、ＰＣ／ＷＳ１０９は、図示しないＣＰＵ，ＲＯＭ，ＲＡＭ等を有し、ＣＰＵがＲＯＭ又は他の記憶媒体に格納されたプログラムを実行して、各種処理を行うことができる。
【００２６】
図２は、図１に示したリーダ部１０３及びプリンタ部１０４の構成を示す断面図であり、特にプリンタ部１０４にフィニッシャが装着された場合を示す。
【００２７】
図において、２０１は原稿給送装置で、原稿を先頭順に１枚ずつプラテンガラス２０２上へ給送し、原稿の読み取り動作終了後、プラテンガラス２０２上の原稿を排出するものである。原稿がプラテンガラス２０２上に搬送されると、ランプ２０３を点灯し、そしてスキャナユニット２０４の移動を開始させて、原稿を露光走査する。この時の原稿からの反射光は、ミラー２０５、２０６、２０７、及びレンズ２０８によってＣＣＤイメージセンサ（以下ＣＣＤという）２０９へ導かれる。このように、走査された原稿の画像はＣＣＤ２０９によって読み取られる。
【００２８】
２２１はレーザドライバで、レーザ発光部２１０を駆動するものであり、出力画像データに応じたレーザ光をレーザ発光部２１０に発光させる。このレーザ光は感光ドラム２１１に照射され、感光ドラム２１１にはレーザ光に応じた潜像が形成される。
【００２９】
この感光ドラム２１１の潜像の部分には現像器２１２によって現像剤が付着される。カラー機の場合は、イエロー（Ｙ），マゼンタ（Ｍ），シアン（Ｃ），ブラック（Ｋ）の４色分現像器が装着される。そして、レーザ光の照射開始と同期したタイミングで、カセット２１３及びカセット２１４、手差し給紙段２２７のいずれかから記録紙を給紙して転写部２１５へ搬送し、感光ドラム２１１に付着された現像剤を記録紙に転写する。現像剤の乗った記録紙は定着部２１６に搬送され、定着部２１６の熱と圧力により現像剤は記録紙に定着される。
【００３０】
定着部２１６を通過した記録紙は排出ローラ２１７によって排出され、また、両面記録が設定されている場合は、排出ローラ２１７のところまで記録紙を搬送した後、排出ローラ２１７の回転方向を逆転させ、フラッパ２１８によって再給紙搬送路２１９へ導く。再給紙搬送路２１９へ導かれた記録紙は上述したタイミングで転写部２１５へ給紙される。
【００３１】
また、Ｚ折りユニット２２６が本体に装備されている場合には、Ｚ折りユニットへ記録紙が搬送され、操作部１０２からの操作に応じてＺ折りが行われる。
【００３２】
さらに、フィニッシャ２２０が装備されている場合、排出された記録紙を束ねて記録紙の仕分けをしたり、ユーザからの指定に応じてパンチャ２２３で記録紙のパンチが、ステイプラ２２４でステイプルがそれぞれ行われる。
【００３３】
また、サドルステッチャ２２５を使用すると、記録紙の中央部をステッチし、その中央部を折ることにより記録紙が製本される。インサータ２２２では、予め印刷された記録紙を、表紙や合紙として給紙することが可能となり、プリンタ部の記録紙経路を通すことがないため用紙を傷めず搬送することができる。サドルステッチャ２２５を使用しないジョブは、排紙口２３１を通り、可動トレイ２２８、２２９のどちらかに排出される。可動トレイ２２８と２２９は両方共上下に動作することができ、可動トレイ２２８に出力する場合には可動トレイ２２８が排紙口２３１の位置まで降りる。サドルステッチャ２２５を使用するジョブは、排紙口２３２を通り、製本トレイ２３０に排出される。
【００３４】
図３は、図１に示した操作部１０２のキー配列を示す平面図である。
【００３５】
図において、３０１は電源スイッチであり、デジタル複写機本体１０１および画像入出力部１０５への通電を制御する。３０２は予熱キーであり、予熱モードのＯＮ／ＯＦＦに使用する。３０３はコピーＡモードキーであり、複数の機能の中からコピーＡモードを選択するときに使用する。３０４はコピーＢモードキーであり、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かりやすくするために二つのコピーに分けている。
【００３６】
３０５はメールボックスキーであり、複数の機能の中からメールボックスモードを選択するときに使用する。メールボックス機能とは、ユーザ個人や部署毎に複写機内のメモリに記憶領域を持ち、そこにＰＤＬやスキャン画像を入れておき、好きなときに出力する機能である。３０６は拡張キーであり、ＰＤＬに対する操作を行うときに使用する。３０３〜３０６は後述するＬＣＤ３１６の各々の機能画面を呼び出すときにも使用され、ＬＣＤ３１６の表示により各々のジョブの状況を見ることができる。
【００３７】
３０７はコピースタートキーであり、コピーの開始を指示するときに用いるキーである。３０８はストップキーであり、コピーを中断したり、中止したりするときに用いるキーである。３０９はリセットキーで、スタンバイ中は標準モードに復帰させるキーとして動作する。３１０はガイドキーであり、各機能を知りたいときに使用するキーである。
【００３８】
３１１はユーザモードキーであり、ユーザがシステムの基本設定を変更するときに使用する。３１２は割り込みキーであり、コピー中に割り込みしてコピーしたいときに用いる。３１３はテンキーであり、数値の入力を行うときに使用する。３１４はクリアキーであり、数値をクリアするときに用いる。３１５はＩＤキーであり、複写機を使用する場合にＩＤの入力モードに移行するときに使用する。
【００３９】
３１６は、液晶画面とタッチセンサの組合せからなるＬＣＤタッチパネル（操作パネル）であり、各モード毎に個別の設定画面が表示され、さらに、描画されたキーに触れることで、各種の詳細な設定を行うことが可能である。また、各々のジョブの動作状況表示なども行う。３１７は、ネットワークの通信状態を示すタリーランプであり、通常は緑色で、通信しているときは緑色で点滅し、ネットワークエラーの場合には赤色になる。
【００４０】
図４は、図３に示した操作パネル３１６のコピー標準画面を示した模式図であり、本実施形態の画像処理装置では、電源投入時にデフォルトとしてコピー標準画面で起動するようになっている。
【００４１】
図において、４０１はメッセージラインであり、コピージョブの状態をメッセージで表示する。４０２は倍率表示であり、設定された倍率やコピーモードによって自動的に決められる倍率をパーセントで表示する。４０３は用紙サイズ表示であり、選択された出力用紙を表示し、自動用紙選択が設定されている場合にはオート用紙というメッセージを表示する。
【００４２】
４０４は置数表示であり、何枚コピーするかを示す。４０５は縮小キーであり、縮小コピーを行いたい場合に使用する。４０６は等倍キーであり、縮小や拡大が設定されている場合に等倍に戻したいときに使用する。４０７は拡大キーであり、拡大コピーを行いたい場合に使用する。４０８はズームキーであり、細かい単位で倍率を設定して縮小コピーや拡大コピーを行いたい場合に使用する。
【００４３】
４０９は用紙選択キーであり、出力用紙を指定する場合に使用する。４１０はソータキーであり、ソートやステイプルのモードを設定する場合に使用する。４１１は両面キーであり、両面モードを設定する場合に使用する。
【００４４】
４１２は濃度表示で、現在の濃度が分かるようになっており、左側が濃度が薄く、右側が濃度が濃いことを示す。また、濃度表示４１２は、うすくキー４１３、こくキー４１５と連動して表示が変化するようになっている。うすくキー４１３は、濃度を薄くしたい場合に使用する。こくキー４１５は、濃度を濃くしたい場合に使用する。４１４は自動キーであり、自動的に濃度を決定するモードを使用する場合に使用する。
【００４５】
４１６は文字キーであり、文字原稿をコピーするのに適した濃度に自動的に設定する文字モードを設定する場合に使用する。４１７は文字／写真キーであり、写真が混在した原稿をコピーするのに適した濃度に自動的に設定する文字／写真モードを設定する場合に使用する。４１８は応用モードキーであり、コピー標準画面で設定できない様々なコピーモードを設定する場合に使用する。
【００４６】
４１９はプリント状況キーであり、現在このデジタル複写機本体１０１で行われているプリントの状況やジョブ履歴を見たい場合に使用する。このプリント状況キー４１９は、コピー標準画面だけではなく、常にこの位置に現れており、いつでもこのキーを押すことによりプリント状況を見ることができるようになっている。
【００４７】
図５は、図１に示した画像メモリ１０７の論理的な使用方法を示した模式図である。
【００４８】
図に示すように、本実施形態において、画像メモリ１０７は、使用用途に応じてハードディスク等の画像メモリの記憶領域をテンポラリ領域５０１とボックス全体領域５０２に論理的に分けられる。
【００４９】
テンポラリ領域５０１は、画像データの出力順序を変えたり、複数部出力においても一回のスキャンで出力ができるようにするために、ＰＤＬの展開データやスキャナからの画像データを一時的に記憶する記憶領域である。ボックス全体領域５０２はボックス機能を使用するための記憶領域であり、５０３〜５０７のように登録された数の小さな記憶領域（ボックス領域１，２，３，４，……）に分割されている。ボックス領域（以下ボックス）５０３〜５０７は、各ユーザや会社などの部署毎に割り当てられ、各ボックスにはボックス名とパスワードを付けることができる。ユーザはボックスを指定することでＰＤＬジョブやスキャンジョブを各ボックスに入力することができ、パスワードを入力することで実際にボックスの中を見たり、設定変更やプリント出力を行う。
【００５０】
図６（ａ），（ｂ）は、本発明の画像処理装置における第１，２の制御処理手順の一例を示すフローチャートであり、ボックス登録処理手順に対応する。なお、このフローチャートの処理は、図１に示した制御部１０８，ＰＣ／ＷＳ１０９のＣＰＵ等がＲＯＭ又は他の記憶媒体に格納されたプログラムを実行する実現される。また、図中のＳ６０１〜Ｓ６０９は各ステップを示す。
【００５１】
なお、ボックスへの登録は、ホストコンピュータ１０９からのＰＤＬ画像と、スキャナ（リーダ部１０３）からのスキャン画像の登録があり、図６（ａ）はホストコンピュータ（ＰＣ／ＷＳ）１０９からのＰＤＬ画像登録手順（第１の制御処理手順）に対応し、図６（ｂ）はスキャナ（リーダ部１０３）からのスキャン画像登録手順（第２の制御処理手順）に対応する。
【００５２】
まず、図６（ａ）を参照して、ＰＤＬ画像を登録する場合について説明する。
【００５３】
ＰＤＬ画像を登録する場合、図６（ａ）に示すように、ステップＳ６０１では、図１に示したＰＣ／ＷＳ１０９上でユーザがプリント設定を行い、ステップＳ６０２に進む。このプリント設定内容は、部数，用紙サイズ，拡大縮小率，片面／両面，ページ出力順序，ソート出力，ステイプル止めの有無等である。
【００５４】
ステップＳ６０２では、ＰＣ／ＷＳ１０９上でボックス番号を設定することで、画像メモリ１０７のボックス全体領域５０２内の領域（ボックス５０３〜５０７）が指定され、ステップＳ６０３に進む。例えば、ボックス番号が「１」と指定されると、ボックス全体領域５０２内のボックス５０３が指定されることなる。
【００５５】
ステップＳ６０３では、ＰＣ／ＷＳ１０９上で印刷指示を与え、それと共にＰＣ／ＷＳ１０９上にインストールされているドライバソフトウェアが印刷対象となるコードデータをいわゆるＰＤＬデータに変換して、ステップＳ６０１で設定したプリント設定パラメータとともに、本画像処理装置の入出力制御部１１０にＰＤＬデータを転送し、ステップＳ６０４に進む。
【００５６】
ステップＳ６０４では、転送されたＰＤＬデータを画像データに展開（ラスタライズ）する。画像データの展開が完了するとステップＳ６０５に進む。
【００５７】
ステップＳ６０５では、展開された画像データを画像メモリ１０７のボックス全体領域５０２に順次記録（格納）する。例えばボックス番号が「１」のときは、ボックス５０３内に記憶される。またここでは、ステップＳ６０１で設定したプリント設定パラメータもボックス５０３に記録される。なお、ボックス番号が「２」，「３」のときはそれぞれボックス５０４，５０５に記憶される。この格納処理を終了すると、ＰＤＬ画像登録処理を終了する。
【００５８】
次に、図６（ｂ）を参照して、スキャン画像を登録する場合について説明する。
【００５９】
スキャン画像を登録する場合は、図６（ｂ）に示すように、まずステップＳ６０６で、操作部１０２から画像を入力するボックス番号を指定し、ステップＳ６０７に進む。
【００６０】
ステップＳ６０７では、操作部１０２から画像処理等のスキャン設定を指定し、ステップＳ６０８に進む。
【００６１】
ステップＳ６０８では、操作部１０２からスキャンスタートの指示を出すことで、リーダ部１０３で原稿を読み取りステップＳ６０９に進む。
【００６２】
ステップＳ６０９では、ステップＳ６０８で読み取った画像をステップＳ６０６で指定したボックス領域に格納し、スキャン画像登録処理を終了する。
【００６３】
図７は、図３に示した操作部１０２のボックスキー３０５を押下した場合にＬＣＤ３１６に表示されるボックス選択画面の一例を示す模式図である。
【００６４】
図において、７０１はそのボックス番号７０１ａ，ボックス名７０１ｂ，画像メモリ１０７のボックス全体領域５０２に対してそのボックスがどれだけ容量をとっているかの情報７０１ｃを表示する領域である。なお、ボックス番号７０１ａを押下すると、図８に示すパスワード入力画面に遷移する。
【００６５】
７０２，７０３はそれぞれ下スクロールキー，上スクロールキーであり、領域７０１の表示を越える数のボックスが登録されているときに、画面をスクロールする場合に使用する。
【００６６】
図８は、図７に示したボックス番号７０１ａを押下した場合にＬＣＤ３１６に表示されるボックスパスワード入力画面の一例を示す模式図である。
【００６７】
図において、８０３はパスワード表示領域であり、操作部１０２のテンキー３１３等から入力されるボックスのパスワードを伏せ文字で表示する。
【００６８】
８０１は取消キーで、パスワード入力をキャンセルして、図７に示したボックス選択画面に戻る。８０２はＯＫキーで、このキーを押下することで、入力したパスワードの確定となり、パスワードの検証が行われる。
【００６９】
この検証により、入力されたパスワードが正しいと判断された場合には、図９に示すボックス内画面に遷移し、各ボックスにアクセスできるようになる。一方、入力されたパスワードが誤りである場合には、図示していない警告画面に遷移し、ボックスにはアクセスすることはできない。
【００７０】
図９は、図８に示したボックスパスワード入力画面により入力されたパスワードが正しい場合にＬＣＤ３１６に表示されるボック内画面の一例を示す模式図である。
【００７１】
図において、９０１はボックス内のファイルリストであり、各ファイルの登録日時、ファイル名がリスト表示される。ファイルを選択するにはファイル名９０１ａを押下し、現在選択されているファイルは反転表示される。これはトグル動作になっており、一度選択したファイル名９０１ａをもう一度押下すると、選択が解除される。
【００７２】
９０２は選択されたファイルの選択順序を示す表示であり、この図９に示す例の場合には、ファイル名５，ファイル名１，ファイル名４の順に選択されている。この選択順はそのまま結合保存したときのファイル順序となる。
【００７３】
９０３はスキャンキーであり、現在開いているボックスにスキャナから画像を入力する場合に使用し、図示しないスキャンの設定画面に遷移する。９０４はプリントキーであり、ファイルリスト９０１で選択しているファイルをプリントする場合に使用する。
【００７４】
９０５は結合保存キーであり、ファイルリスト９０１内で選択された複数ファイルを１ファイルにまとめて格納しなおしたい場合に使用する。この結合保存キー９０５を押下すると、図１１に示す結合保存の最初の設定画面に遷移する。
【００７５】
９０６は消去キーであり、ファイルリスト９０１で選択しているファイルを消去する場合に使用する。９０７は全選択キーであり、ファイルリスト９０１に表示されているファイルを全部選択する場合に使用する。この全選択キー９０７により全選択した場合には、選択順序はファイルリスト９０１の表示順となる。
【００７６】
９０８，９０９はそれぞれ下スクロールキー，上スクロールキーであり、ファイルリスト９０１の表示を超える数のファイルが登録されているときに、画面をスクロールする場合に使用する。９１０は閉じるキーであり、図８に示したボックスパスワード入力画面に戻るときに使用する。
【００７７】
図１０は、本発明の画像処理装置における文書結合保存時の文書管理テーブルの構造の一例を示した模式図である。
【００７８】
図において、文書Ａ〜Ｄは、それぞれ文書の管理テーブルを示すものであり、その管理テーブル情報には部数，ステイプル等のフィニッシング情報，その文書にぶら下がっているページ数等の文書全体に関わるプリント属性が格納されている。
【００７９】
ページＡ−１〜Ａ−ｎ、Ｂ−１〜Ｂ−ｎ、Ｃ−１〜Ｃ−ｎは、それぞれページの管理テーブルを示すものであり、各ページの解像度、画素数等のページに関わるプリント属性が格納されている。また、このページ管理テーブルには、各ページがプリント時に表裏どちらに印字するかの両面情報や、用紙サイズとどの給紙段から給紙するかの給紙段情報等の属性も格納されている。
【００８０】
なお、この図１０で示す例では、３文書の結合保存を例に挙げており、文書Ａ、文書Ｂ、文書Ｃが結合保存前の文書であり、図９に示したボック内画面で文書Ａ，文書Ｂ，文書Ｃの順に選択されたこととする。
【００８１】
また、文書Ｄは結合保存後の文書であり、文書ＡのページＡ−１〜Ａ−ｎ，文書ＢのページＢ−１〜Ｂ−ｎ，文書ＣのページＣ−１〜Ｃ−ｎの順にコピーされ文書Ｄに繋がっている。この結合保存された文書Ｄは、文書Ａ〜Ｃのプリント属性を全て継承しているわけではなく、文書Ｄが作成される時点で、フィニッシング，部数等は全てクリアされ、ソート１部というごく基本的なモードを新たに設定する。これは、結合前の各文書が異なる部数、異なるフィニッシングだった場合に、プリント時に不整合が発生するのを防ぐためである。
【００８２】
さらに、本実施形態では、上述したように両面情報，給紙段情報をページ管理テーブルに持たせてあり、元文書のページ管理テーブルを結合された文書のページ管理テーブルにコピーすることで、結合文書が元文書の属性を継承するように構成しているが、文書の構造をもう一階層増やし、文書のテーブルに両面情報等の継承すべき情報を持ち、その上の階層に継承しない情報を持たせることで属性継承を行うように構成してもよい。
【００８３】
図１１は、図９に示したボック内画面の結合保存キー９０５が押下された場合にＬＣＤ３１６に表示される結合保存の最初の設定画面の一例を示す模式図である。
【００８４】
図において、１２０１は文書選択数であり、結合保存する文書がいくつ選択されているかを表示している。１２０２は、結合保存結果文書の部数を表示しており、この画面を表示した時点ではデフォルトの１部を表示している。また、ユーザは結合保存結果文書の部数を自由に設定することができる。
【００８５】
１２０３は、結合保存前の選択文書に部数が異なる文書が１つでもある場合に表示される警告表示である。警告だけで、実際にはデフォルト部数もしくはユーザが設定した部数で結合保存される。
【００８６】
１２０４はプリント設定変更キーであり、このキーを押下することにより、図１２に示すプリント設定変更画面に遷移し、部数のみならずさらに詳細なプリント設定を行うことができる。１２０５は、結合保存後に元文書を消去するかどうかの設定を行うキーであり、このキーはキーが押下されるたびにトグル表示され、設定のＯＦＦ／ＯＮを交互に行うことができる。
【００８７】
１２０６は部数変更キーであり、このキーを押下することで図示しないソフトテンキー画面に表示が遷移し、結合保存結果文書の部数１２０２に表示されている結合保存後の部数を変更することができる。
【００８８】
１２０７はキャンセルキーであり、この画面から抜けて、図９に示したボック内画面に戻るときに使用する。
【００８９】
１２０９はファイル名設定キーで、このキーを押下することで図示しないファイル名設定画面により結合後のファイル名を設定することができる。１２０８は結合保存開始キーであり、このキーを押下することで結合保存を開始する。
【００９０】
図１２は、図１１に示した結合保存の最初の設定画面のプリント設定変更キー１２０４が押下された場合にＬＣＤ３１６に表示されるプリント設定変更画面の一例を示す模式図である。
【００９１】
図において、１３０１は、結合保存後の文書の給紙段と用紙サイズを表示している。なお、ここでは図示しないが、用紙サイズが混在している場合は混在していることを用紙サイズ表示１３０１に表示する。また、用紙サイズ表示１３０１上の自動用紙は、ユーザが明示的に指定した給紙段ではなく、元文書の用紙サイズを優先して給紙段を決定することを示している。
【００９２】
１３０２は、現在設定されている部数を示している。１３０３は、元の設定に戻すためのキーであり、この画面で設定したプリント設定を元文書の設定に戻すときに使用する。
【００９３】
１３０４は、結合保存後に元文書を消去するかどうかの設定キーである。１３０５は用紙選択キーであり、このキーを押下することで図１４に示す用紙選択画面に遷移する。１３０６はソータキーであり、ステイプル，パンチ穴等のフィニッシング設定を行うためのキーである。
【００９４】
１３０７は両面キーであり、このキーから図１３に示す両面設定画面に遷移し、両面設定を行うことができる。１３０８は表紙／仕切紙キーであり、表紙，合紙，仕切紙の挿入設定を行うことができる。１３０９は製本キーであり、プリント後にそのまま半分に折ることで本になるような面順にプリントする設定を行うことができる。
【００９５】
１３１０はキャンセルキーであり、この画面での設定を無効にして図１１に示した結合保存の最初の設定画面に戻るときに使用する。１３１１は結合保存開始キーであり、このキーを押下することで結合保存を開始する。
【００９６】
図１３は、図１２に示したプリント設定変更画面の両面キー１３０７が押下された場合にＬＣＤ３１６に表示される両面設定画面の一例を示す模式図である。
【００９７】
図において、１４０１は左右開きキーであり、左右に開くように両面印字する場合に設定する。１４０２は上下開きキーであり、上下に開くように両面印字する場合に設定する。なお、左右開きキー１４０１と上下開きキー１４０２は、トグル動作し、どちらか一方しか選択はできないように構成されている。
【００９８】
１４０３は連続キーであり、文書結合で両面設定した場合で、前文書の最終ページが表面だった場合に、次文書の１ページ目をその裏面に印字する場合にこのキーを設定する。１４０４は連続しないキーであり、文書結合で両面設定した場合で、前文書の最終ページが表面だった場合に、次文書の１ページ目を裏に印字せず、次用紙の表面に印字する場合に設定する。なお、この連続キー１４０３と連続しないキー１４０４もトグル動作し、どちらか一方しか選択することができないように構成されている。また、左右開きキー１４０１から連続しないキー１４０４の設定を行うと、結合保存する全文書に対して適用される。
【００９９】
１４０５は、元文書の設定を保存するかどうかを選択するキーであり、このキーを設定すると、両面設定に関して元文書の設定を有効にする。例えば、元文書に片面文書と両面文書が混在していた場合、片面文書は片面に、両面文書は両面に印字するように設定を保存する。また、この元の文書の設定を保存キー１４０５が設定されている場合は、キー１４０１〜１４０４は無効となり、設定できないように構成されている。
【０１００】
１４０６はキャンセルキーであり、この画面での設定を無効にして、図１２に示したプリント設定変更画面に戻すときに使用する。１４０７はＯＫキーであり、この画面での設定を有効にして、図１２に示したプリント設定変更画面に戻すときに使用する。
【０１０１】
図１４は、図１２に示したプリント設定変更画面の用紙選択キー１３０５が押下された場合にＬＣＤ３１６に表示される用紙選択画面の一例を示す模式図である。
【０１０２】
図において、１５０１は、元文書の給紙段設定を保持する場合に使用するキーであり、このキーを押下することで複数の元文書が異なる給紙段設定だった場合にも、それを有効にする場合に使用する。１５０２は手差し用紙指定キーで、手差し用紙の用紙サイズを決定する場合に使用するキーである。
【０１０３】
１５０３は給紙段キーであり、現在入っている用紙サイズとその給紙段の用紙残量が表示されている。この給紙段キー１５０３を選択することで、元文書の給紙段設定を全てクリアし、このキーで選択された給紙段を全てのページに適用する。なお、手差し用紙指定キー１５０２，給紙段キー１５０３は、元文書の設定を保持キー１５０１とは同時に設定することはできない。
【０１０４】
１５０４は閉じるキーであり、この画面での設定を有効にして、図１２に示したプリント設定変更画面に戻すときに使用する。
【０１０５】
以下、図１５，図１６に示すフローチャートを参照して、本発明の画像処理装置における結合保存処理について説明する。
【０１０６】
図１５は、本発明の画像処理装置における第３の制御処理手順の一例を示すフローチャートであり、結合保存処理に対応する。なお、このフローチャートの処理は、図１に示した制御部１０８のＣＰＵがＲＯＭ又は他の記憶媒体に格納されたプログラムを実行することにより実現される。また、図中のＳ１６０１〜Ｓ１６１０は各ステップを示す。
【０１０７】
まず、ステップＳ１６０１では、図１０に示した結合保存先の文書管理テーブルを同じボックス内に新規に割り当て、プリント設定変更で設定された設定で初期化し、ステップＳ１６０２に進む。なお、本実施形態では、結合保存先は同一ボックスとしているが、もちろんユーザに保存先のボックスを選択させて他のボックスに保存するように構成してもよい。また、図示しないファイル名設定画面により設定したファイル名はこの時点で文書管理テーブルに保存するが、ファイル名が設定されていない場合には時刻をファイル名に変換して保存する。
【０１０８】
ステップＳ１６０２では、元文書情報を読み出し、その文書に繋がるページを検索し、Ｓ１６０３に進む。ステップＳ１６０３では、元文書にぶらさがっているページを１ページ読み出し、ステップＳ１６０４に進む。ステップＳ１６０４では、結合保存先のページ管理テーブルを新規に割り当て、ステップＳ１６０５に進む。
【０１０９】
次に、ステップＳ１６０５では、元文書のページ管理テーブルの内容をステップＳ１６０４で割り当てた結合保存先のページ管理テーブルにコピーし、プリント設定変更で設定されたプリント設定をページ管理テーブルに設定し、ステップＳ１６０６に進む。このステップＳ１６０５のページ管理テーブル設定処理の詳細シーケンスは図１６に示す。
【０１１０】
ステップＳ１６０６では、結合保存先の文書管理テーブルのページ数情報と、ステップＳ１６０３で読み出したページの実画像の参照数をインクリメントし、ステップＳ１６０７に進む。なお、上記実画像の参照数とは、実際に画像をコピーするのではなく、いくつの文書に参照されているかをカウントすることで、実画像による画像メモリ１０７の圧迫を防ぐためであり、参照数が「０」になった時点で実画像を消去する。もちろん、画像メモリ１０７の容量が多い場合や、画像自体に編集等を加える場合には実際に実画像をコピーするように構成してもよい。
【０１１１】
ステップＳ１６０７では、ステップＳ１６０３で読み出したページが元文書の最終ページかどうかを判断し、最終ページであればステップＳ１６０８に進み、そうでなければステップＳ１６０３に戻る。
【０１１２】
ステップＳ１６０８では、元文書を消去する設定になっているかどうかを判断し、消去設定になっている場合にはステップＳ１６０９に進み、元文書を消去し、ステップＳ１６１０に進む。一方、ステップＳ１６０８で、元文書を消去する設定になっていない（消去しない設定）の場合には、そのままステップＳ１６１０に進む。
【０１１３】
ステップＳ１６１０では、ステップＳ１６０９までで処理した文書が結合する最終文書であるかどうかを判断し、最終文書であれば処理を終了し、そうでなければステップＳ１６０２に戻る。
【０１１４】
図１６は、本発明の画像処理装置における第４の制御処理手順の一例を示すフローチャートであり、図１５のステップＳ１６０５に示したページ管理テーブル設定処理の詳細に対応する。なお、このフローチャートの処理は、図１に示した制御部１０８のＣＰＵがＲＯＭ又は他の記憶媒体に格納されたプログラムを実行することにより実現される。また、図中のＳ１７０１〜Ｓ１７０９は各ステップを示す。
【０１１５】
まず、ステップＳ１７０１では、結合保存元文書のページ管理テーブルを結合保存後文書のページ管理テーブルにコピーし、ステップＳ１７０２に進む。ここでコピーするデータ内容としては、主に解像度、画素数等の画像に関する情報と、プリント時の印字面、給紙段情報等のページに関わる情報である。
【０１１６】
次に、ステップＳ１７０２では、両面設定を保持する設定かどうかを判断し、両面設定を保持する設定だった場合には、既に元ページの設定がコピーされているため、ステップＳ１７０８に進む。
【０１１７】
一方、ステップＳ１７０２で、両面設定を保持しない設定であると判断した場合には、ステップＳ１７０３に進む。
【０１１８】
ステップＳ１７０３では、現在読み出しているページが元文書の先頭ページかどうかを判断し、先頭ページだった場合にはステップＳ１７０４に進み、そうでなければステップＳ１７０５に進む。
【０１１９】
ステップＳ１７０４では、文書間の両面印字面を連続させる設定になっているかどうかを判断し、連続させる設定の場合はステップＳ１７０５に進み、そうでなければステップＳ１７０６に進む。
【０１２０】
ステップＳ１７０５では、前のページの印字面から現在読み出したページの印字面を判断してページ管理テーブルに設定し、ステップＳ１７０７に進む。
【０１２１】
一方、ステップＳ１７０６では、ページ管理テーブルにページの印字面を表と設定し、ステップＳ１７０７に進む。
【０１２２】
ステップＳ１７０７では、上下開きか左右開きか、印字面が表面か裏面かで画像の回転方向を決定し、ページ管理テーブルに設定し（上下左右開き方による画像方向設定）、ステップＳ１７０８に進む。
【０１２３】
ステップＳ１７０８では、元文書の給紙段設定を保持するかどうかを判断し、保持する設定だった場合には、既にページ管理テーブルに給紙段設定がコピーされているためにそのまま処理を終了し、保持しない設定だった場合には、ステップＳ１７０９に進む。
【０１２４】
ステップＳ１７０９では、ユーザが選択した給紙段をページ管理テーブルに設定し、処理を終了する。
【０１２５】
なお、本実施形態では、両面設定、給紙段設定に関して元文書の属性を保持するかどうかをユーザが選択できるように構成したが、その他の属性を選択できるように構成してもよい。例えば、給紙段の選択ではなく、印刷する用紙の材質の選択，給紙段と用紙材質の双方の選択等をユーザが行うように構成してもよい。
【０１２６】
以上説明したように、一度ハードディスク等の画像メモリに格納したスキャナやＰＤＬ画像を画像メモリ上で結合して新規文書を作成することで、何度も出力に同じ設定を行わず簡単操作で文書の結合プリントができるデジタル複写機等の画像処理装置を提供することができる。
【０１２７】
また、この結合して作成した新規文書を不整合が発生する属性以外はなるべく元文書のプリント時と同じプリント出力結果が得られるように属性を引き継ぐことで、よりユーザの期待通りのプリント出力結果を手間無く得ることができる。
【０１２８】
なお、上記各実施形態では、プリンタ部１０４が１ドラム系のレーザビーム方式である場合を例にして説明したが、複数ドラム系であっても、またレーザビーム方式以外の電子写真方式（例えばＬＥＤ方式）でも、液晶シャッタ方式、インクジェット方式、熱転写方式、昇華方式でもその他のプリント方式であっても本発明は適用可能である。
【０１２９】
さらに、上記実施形態では、図１に示したデジタル複写機の画像メモリ１０７内に保持された画像データを操作部１０２からの操作により、上記結合保存処理を指示する場合について説明したが、デジタル複写機の画像メモリ１０７内に保持された画像データをＰＣ／ＷＳ１０９からの操作により（図７〜図９，図１１〜図１４に示した画面をＰＣ／ＷＳ１０９のモニタ上に表示し、該画面から結合保存処理を指示することにより）、上記デジタル複写機上での結合保存処理を指示するように構成してもよい。
【０１３０】
また、上記実施形態では、図１に示したデジタル複写機の画像メモリ１０７内に保持された画像データを結合保存処理する場合について説明したが、ＰＣ／ＷＳ１０９内のハードディスク等に保持された画像データ（外部機器（デジタルカメラ，スキャナ，ファイルサーバ，他のＰＣ／ＷＳ等）から入力保持した画像データ，ＰＣ／ＷＳ１０９上のアプリケーションで作成した画像データ等）を、ＰＣ／ＷＳ１０９からの操作により（図７〜図９，図１１〜図１４に示した画面をＰＣ／ＷＳ１０９のモニタ上に表示し、該画面から結合保存処理を指示することにより）、ＰＣ／ＷＳ１０９上で結合保存処理させる（ＰＣ／ＷＳ１０９上で図１５，図１６の処理を実行させる）ように構成してもよい。
【０１３１】
さらに、外部機器（図１に示したようなデジタル複写機，ファイルサーバ，他のＰＣ／ＷＳ等）内に保持された画像データを、ＰＣ／ＷＳ１０９からの操作により（図７〜図９，図１１〜図１４に示した画面をＰＣ／ＷＳ１０９のモニタ上に表示し、該画面から結合保存処理を指示することにより）、ＰＣ／ＷＳ１０９に取り込み、ＰＣ／ＷＳ１０９上で結合保存処理させる（ＰＣ／ＷＳ１０９上で図１５，図１６の処理を実行させる）ように構成してもよい。
【０１３２】
さらに、外部機器（図１に示したようなデジタル複写機，ファイルサーバ，他のＰＣ／ＷＳ等）内に保持された画像データを、ＰＣ／ＷＳ１０９からの操作により（図７〜図９，図１１〜図１４に示した画面をＰＣ／ＷＳ１０９のモニタ上に表示し、該画面から結合保存処理を指示することにより）、ファイルサーバ上での結合保存処理させる（ファイルサーバ上で図１５，図１６の処理を実行させる）ように構成してもよい。
【０１３３】
また、外部機器（図１に示したようなデジタル複写機，ファイルサーバ，他のＰＣ／ＷＳ等）内に保持された画像データと、ＰＣ／ＷＳ１０９内のハードディスク等に保持された画像データ（外部機器（デジタルカメラ，スキャナ，ファイルサーバ，他のＰＣ／ＷＳ等）から入力保持した画像データ，ＰＣ／ＷＳ１０９上のアプリケーションで作成した画像データ等）とを、ＰＣ／ＷＳ１０９からの操作により（図７〜図９，図１１〜図１４に示した画面をＰＣ／ＷＳ１０９のモニタ上に表示し、該画面から結合保存処理を指示することにより）、ＰＣ／ＷＳ１０９上で結合保存処理させる（ＰＣ／ＷＳ１０９上で図１５，図１６の処理を実行させる）ように構成してもよい。
【０１３４】
さらに、上記各実施形態の構成を合わせた構成も本発明に含まれるものである。
【０１３５】
以下、図１７に示すメモリマップを参照して本発明に係る画像処理装置で読み出し可能なデータ処理プログラムの構成について説明する。
【０１３６】
図１７は、本発明に係る画像処理装置で読み出し可能な各種データ処理プログラムを格納する記憶媒体のメモリマップを説明する図である。
【０１３７】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１３８】
さらに、各種プログラムに従属するデータも上記ディレクトリに管理されている。また、インストールするプログラムやデータが圧縮されている場合に、解凍するプログラム等も記憶される場合もある。
【０１３９】
本実施形態における図６（ａ），図６（ｂ），図１５，図１６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１４０】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１４１】
この場合、記憶媒体から読み出されたプログラムコード自体が本発明の新規な機能を実現することになり、そのプログラムコードを記憶した記憶媒体は本発明を構成することになる。
【０１４２】
プログラムコードを供給するための記憶媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１４３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４５】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１４６】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１４７】
【発明の効果】
以上説明したように、本発明によれば、ジョブ記憶手段に記憶された複数ジョブをまとめて新たな処理モードを設定し前記ジョブ記憶手段に記憶しなおすボックス結合保存機能において、上記複数ジョブをまとめて新たな処理モードを設定するときに、結合する元ジョブの設定を継承するかクリアして新たに設定しなおすかをユーザに選択させるように制御するので、ボックス結合保存機能において、なるべく元文書のプリント設定を保持させ、必要な場合は、ユーザが自由にプリント出力を設定することができるように、設定に自由度を持たせることが可能なフレキシブルなボックス結合保存処理環境を構築することができる等の効果を奏する。
【図面の簡単な説明】
【図１】本発明の一実施形態を示す画像処理装置を適用可能なデジタル複写機の構成を示すブロック図である。
【図２】図１に示したリーダ部及びプリンタ部の構成を示す断面図である。
【図３】図１に示した操作部のキー配列を示す平面図である。
【図４】図３に示した操作部のコピー標準画面を示す模式図である。
【図５】図１に示した画像メモリの論理的な使用方法を示す模式図である。
【図６】本発明の画像処理装置における第１，２の制御処理手順の一例を示すフローチャートである。
【図７】図３に示した操作部のボックスキーを押下した場合にＬＣＤに表示されるボックス選択画面の一例を示す模式図である。
【図８】図７に示したボックス番号を押下した場合にＬＣＤに表示されるボックスパスワード入力画面の一例を示す模式図である。
【図９】図８に示したボックスパスワード入力画面により入力されたパスワードが正しい場合にＬＣＤに表示されるボック内画面の一例を示す模式図である。
【図１０】本発明の画像処理装置における文書結合保存時の文書管理テーブルの構造の一例を示す模式図である。
【図１１】図９に示したボック内画面の結合保存キーが押下された場合にＬＣＤに表示される結合保存の最初の設定画面の一例を示す模式図である。
【図１２】図１１に示した結合保存の最初の設定画面のプリント設定変更キーが押下された場合にＬＣＤに表示されるプリント設定変更画面の一例を示す模式図である。
【図１３】図１２に示したプリント設定変更画面の両面キーが押下された場合にＬＣＤに表示される両面設定画面の一例を示す模式図である。
【図１４】図１２に示したプリント設定変更画面の用紙選択キーが押下された場合にＬＣＤに表示される用紙選択画面の一例を示す模式図である。
【図１５】本発明の画像処理装置における第３の制御処理手順の一例を示すフローチャートである。
【図１６】本発明の画像処理装置における第４の制御処理手順の一例を示すフローチャートである。
【図１７】本発明に係る画像処理装置で読み出し可能な各種データ処理プログラムを格納する記憶媒体のメモリマップを説明する図である。
【符号の説明】
１０１　デジタル複写機本体
１０２　操作部
１０３　リーダ部
１０４　プリンタ部
１０５　画像入出力制御部
１０６　コンピュータインタフェース部
１０７　画像メモリ
１０８　バックアップＲＡＭ
１０９　ＰＣ／ＷＳ
【図１】
2004021390.tif 000003
【図２】
2004021390.tif 000004
【図３】
2004021390.tif 000005
【図４】
2004021390.tif 000006
【図５】
2004021390.tif 000007
【図６】
2004021390.tif 000008
【図７】
2004021390.tif 000009
【図８】
2004021390.tif 000010
【図９】
2004021390.tif 000011
【図１０】
2004021390.tif 000012
【図１１】
2004021390.tif 000013
【図１２】
2004021390.tif 000014
【図１３】
2004021390.tif 000015
【図１４】
2004021390.tif 000016
【図１５】
2004021390.tif 000017
【図１６】
2004021390.tif 000018
【図１７】
2004021390.tif 000019